(57)【要約】【課題】多様な釣場の水温が手軽に計れ、また多種多様な釣用水容器に着脱自在に取付けることができ、水温が見やすく、水温が高くなったことを音で知らせることができる水温計を提供することを目的とする。【解決手段】水温計の本体背部に回動可能に取付けた保持部に、活餌用の容器に着脱可能に固定できる吸盤または挟持クリップを設けるとともに、発音体と温度を設定する操作ボタンを有し、設定された温度を検知したときアラーム音を発する構成とする。【選択図】図１
2008212106.tif 000002
【特許請求の範囲】
【請求項１】
水温を感知する温度検知部と、
前記温度検知部からの信号を処理・制御し表示パネルに表示する本体部と、
前記本体部に設けられた複数の操作ボタンと、
前記操作ボタンにより設定された温度を検知したときアラーム音を発する発音体と、
吸盤または挟持クリップを設けた保持部とを有し、
前記保持部は前記本体部に回動可能に取付けられ、表示パネルの方向を自在に変えて保持できるようにした釣用アラーム機能付水温計。
【請求項２】
本体部は電池を収納するとともに防水構造とし、
電池はパッキンを介した電池ふたの開閉により交換可能とし、
温度検知部からの信号を処理した温度データを記憶できるとともに、操作ボタンの操作により、記憶された温度データに切替えて表示可能な機能を有する請求項１記載の釣用アラーム機能付水温計。
【請求項３】
温度検知部は接続コードを介して本体に信号を送るとともに、
接続コードは使用しないときは保持部に巻き付けて収納できる構造とした請求項１記載の釣用アラーム機能付水温計。
【請求項４】
本体部において、アラームを作動させる信号を無線または出力端子により外部へ発信できる構造とした請求項１記載の釣用アラーム機能付水温計。
【発明の詳細な説明】
【技術分野】
【０００１】
本発明は、コンパクトで簡便に釣りに使用できる携帯用水温計に関するものである。
【背景技術】
【０００２】
活餌を使用する釣りとして、鮎の友釣りやアオリイカの活きアジの泳がせ釣りなどがあるが、活餌を長期に活かすためには、酸素供給や水温管理や水の浄化等が重要である。趣味の釣りにおいては、酸素供給用にエアポンプは使用されていたが、水温については、あまり関心が払われていなかった。水温の上昇は酸素の溶存量が少なくなるだけでなく、変温動物の魚にとっては、生理的に大きく悪影響する要因である。しかし、水温調節は勘に頼るか、魚が弱った状態を見た後で、新鮮な水を入れ替えたり氷で冷やしたりするが、対応が遅れることが多かった。また、釣場まで運んできた容器の水温と釣場の水温に温度差がある場合、徐々に釣場の水温に慣らす必要があり、手間がかかる上に正確ではなかった。
【０００３】
水温管理のために水温計を使用することは容易に考えつくが、活餌の入った水容器の徐々に上昇する水温を、手間をかけて付きっ切りで見ていては本来の釣りができない。そこで、水温計を水容器に取り付けることができ、あらかじめ知らせて欲しい温度を設定でき、その温度になるとアラーム音で知らせてくれれば、ほかの作業をしながら水温管理ができる。アラーム機能付温度計の一例として特許文献１に記載されたものが知られている。
【０００４】
特許文献１に記載された温度計は、温度センサーと電子制御回路を携帯型ケースに内臓し、移動した場所の気温を表示できる構成にした電子式温度計であって、前記電子制御回路は、前記温度センサで検出する温度を監視し、この温度があらかじめ設定する上限温度以上または下限温度以下もしくは上下限温度範囲を越えたことを報知する手段を備えたことを特徴としている。
【０００５】
また、水容器に取り付けられる温度計の一例として特許文献２に記載されたものが知られている。
【０００６】
特許文献２に記載された温度計は、上下両端を弧状に密閉した目盛板ケースの上部に、ゴム製あるいは弾性プラスチック材等で製造した吸盤を有するキャップを嵌合したことを特徴とする養魚水槽用の温度計である。
【特許文献１】実用新案登録第３０７８９５５号公報
【特許文献２】実開昭５６−１３１４３２号公報
【発明の開示】
【発明が解決しようとする課題】
【０００７】
特許文献１のアラーム付温度計は、主として携帯して気温を計るものであり、活餌の入った水容器に取付けて使用することについては、記載されていない。釣用の活餌を入れる水容器は、クーラボックスや鮎カンのように樹脂製の硬い容器だったり、バッカンのように折畳み自在の布状の柔らかい容器だったり多種多様である。活餌の水温管理には、多種多様な釣用水容器に取付けて使用できなければならない。
【０００８】
また、特許文献２の養魚水槽用の温度計は、吸盤を有しており、樹脂製などの硬い容器に固定して取付けられるが、温度を確認するためには、目線を温度表示が見える位置にするか、キャップから外して温度計を目線の位置まで持ってくる必要があり、手間がかかり使いづらいものである。つまり釣用の活餌を入れる水容器は、地面や川や波止場において
足元に置くので、目線は上方から下方へうつむいて温度を確認することが多いので、温度表示面は上方を向いていると使いやすい。
【０００９】
本発明は、このような従来の課題を解決するものであり、小型で携帯にすぐれ、多様な釣場の水温が手軽に計れ、多種多様な釣用水容器に着脱自在に取付けることができ、温度表示面は上方を向けることができ、知らせて欲しい温度を設定しその温度になるとアラーム音で知らせてくれるアラ−ム機能付温度計を提供することを目的としている。
【課題を解決するための手段】
【００１０】
前記課題を解決するために、本発明の水温計は、水温を感知する温度検知部と、前記温度検知部からの信号を処理・制御し、表示パネルに表示する本体部と、前記本体部に設けられた複数の操作ボタンと、一部の前記操作ボタンにより設定された温度を検知したときアラーム音を発する発音体と、吸盤または挟持クリップを設けた保持部とを有し、前記保持部は、表示パネルの方向を自在に変えて保持できるように、前記本体部に回動可能に取付けられている構成としたものである。
【発明の効果】
【００１１】
本発明によれば、温度検知部により検知した温度を表示パネルに表示するとともに、本体部に設けられた操作ボタンにより設定された温度を検知したときアラーム音を発することができ、水容器から離れて釣りをしていても、活餌が弱る前に水温上昇を知ることができる。
【００１２】
また、吸盤または挟持クリップを設けた保持部を有し、前記保持部は、本体部に回動可能に取付けられる構成としているので、樹脂製の硬い水容器に対しては吸盤で天面や側面に着脱自在に取付けられ、折畳み自在の布状の柔かい水容器に対しては上部縁部に挟むことにより着脱自在に取付けられ、多種多様な釣用水容器に取付けることができ、その取付けられた状態で温度表示面は上方を向けることができ、足元に置いた水容器の水温を容易に確認できる。
【００１３】
このように本発明によれば、小型で携帯にすぐれ、多様な釣場の水温と釣用水容器の水温が手軽に計って確認でき、多種多様な釣用水容器に着脱自在に取付けることができ、温度表示面は見やすい方向を向けことができ、知らせて欲しい温度を設定しその温度になるとアラーム音で知らせてくれので、活餌が弱る前に手間無く対応ができ、最適な釣りを楽しむことができる。
【発明を実施するための最良の形態】
【００１４】
さらに、釣場の水温を計る場合、接続コードの先端に温度検知部を設けて、温度検知部だけを水中に沈めれば、測定可能であるが、高所の波止場などにおいては接続コードにも限度があり、水を汲み上げて測定しなければならず、手間がかかる作業である。また高所の波止場において、紐などで本体を繋ぎ本体を水に投げ入れた後、引き上げて水温を確認しようとしても、水にぬれた温度検知部が引き上げられる間に温度が変化し、正確な水温を表示することができない。
【００１５】
本発明の水温計の本体部を防水構造とし、収納される電池はパッキンを介した電池ふたの開閉により交換可能とし、温度検知部からの信号を処理した温度データを記憶できるとともに、一部の操作ボタンの操作により、記憶された温度データに切替えて表示可能な機能を有することにより、高所の波止場においても、本体を紐などで繋ぎ本体を水に投げ入れることができ、一定時間後に引き上げ、ボタン操作すれば、水に投げ入れられた時に記憶された温度を確認できる。つまり、多様な釣場においても、接続コードを長くすることなくまた水を汲み上げることなく、手軽に釣場の正しい水温を確認できる。
【００１６】
また、本発明の温度検知部から本体に信号を送るための接続コードが、保持部に巻き付けられて収納できる構造とすることにより、携帯時に絡まるころがないので、小型で携帯にすぐれた水温計を得ることができる。
【００１７】
また、本発明の本体部において、アラーム作動の信号を、無線または出力端子により外部へ発信できる構造とすることにより、汲上げポンプ等をその信号により連動させれば、水温上昇の時だけ釣場の水を水容器に供給でき、手間無く効率よく水温管理ができる。
【００１８】
以下本発明を実施するための最良の形態について、図面を参照しながら説明する。
（実施の形態１）
図１は、本発明の実施の形態１における外観図である。図１において、本体部１は、前面に表示パネル部２と複数の操作ボタン３を配置し、背面に保持部４を取り付け、上面には接続コード５を経由して温度検知部６と接続しており、コードブッシュ７を介して接続コード５と本体部１との防水性を確保している。
【００１９】
図２は、同実施の形態１における本体部１の側面断面図である。図２において、本体部１は、前ケース１ａと後ケース１ｂとで形成されており、本体パッキン１ｃを介して防水性を確保している。前ケース１ａには、前面シ−ト８が接着されており、表示パネル部２と操作ボタン３における防水性を確保している。
【００２０】
また後ケース１ｂには、電池ふた９がネジ嵌合しており、電池ふた９の開閉により電池１０の交換ができ、電池ふた９を締めこむことにより電池パッキン９ａを介して防水性を確保している。さらに後ケース１ｂには、本体吸盤１１と挟持クリップ１２を設けた保持部４がビス止めにより回動可能に取付けられ、保持部４に対して表示パネル部２の方向を自在に変えて保持できる。
【００２１】
本体部１内の回路基板１３には、発音体１４や表示用ＬＣＤ１５や制御ＩＣ１６などが接続されており、制御ＩＣ１６は、温度検知部６からの信号を処理・制御し、ＬＣＤ１１に温度表示させたり、複数の操作ボタン３の操作信号により、アラーム温度を設定し発音体１４を作動させたり、測定データの記憶・呼出しなどの制御を行う。また、制御ＩＣ１６からの発音体１４を作動させる信号を、出力端子コネクタ２０により外部へ発信できる。出力端子コネクタ２０を使用しないときは、コネクタキャップ１ｄにより防水されている。出力端子コネクタ２０の代わりに、無線発信部（図示せず）にすることによりコネクタキャップ１ｄは不要で外部に発信できる。
【００２２】
図３は、同実施の形態１における本体部１の正面図である。図３において、電源ボタン３ａを押すと電源が入り、温度測定・表示を開始する。確認ボタン３ｂを押すと、表示がアラーム設定されている温度に切替り、△ボタン３ｃ・▽ボタン３ｄにより設定温度を変更でき、ＳＥＴボタン３ｅを押すと新しい設定温度となる。測定温度が設定した設定温度になったときアラーム音が鳴り、冷たい水を入れて設定温度以下にするかアラームボタン３ｆを押すとアラーム音は止まる。
【００２３】
上記は、高温になった時アラームを鳴らす場合について説明したが、活餌としての最適な温度管理として、上限・下限の設定ができるようにすれば更に活餌にとっての温度変化の負担を軽減できる。回路基板１３の変更または制御ＩＣ１６のソフトウエアを変更することで、例えば確認ボタン３ｂと△ボタン３ｃを同時に押すと上限設定ができ、確認ボタン３ｂと▽ボタン３ｄを同時に押すと下限設定ができる等の対応も可能である。
【００２４】
また、例えば、△ボタン３ｃと▽ボタン３ｄを同時に押すと、記憶されていた一定時間
前の測定データの表示に切替えることができるようにすれば、高所の波止場において、紐などで本体を繋ぎ本体を水に投げ入れた後、引上げて△・▽ボタンを同時に押すと、記憶データの表示に切替り、引上げる前の水温を確認できる。なお、これは機能を説明する一例を記載したものであり、操作ボタンおよびその操作方法は限定されるものではない。
【００２５】
図４は、同実施の形態１における硬い水容器に対する取付状態を示す側面図である。図４において、樹脂製の硬い水容器１７に対しては、保持部４の本体吸盤１１で側面や天面（図示せず）に取付けることができる。その取付けられた状態で保持部４に対して本体部１は回動でき、温度表示面を上方に向けることができる。また、温度検知部６には、孔付つまみ１９ａを有するセンサー吸盤１９を設けており、樹脂製の硬い水容器１７の内壁または底面（図示せず）に取付けて、安定して水温測定ができる。
【００２６】
図５は、同実施の形態１における柔かい水容器に対する取付状態を示す側面図である。図５において、折畳み自在の布状の柔かい水容器１８に対しては、保持部４の挟持クリップ１２で上部縁部に挟むことができる。その取付けられた状態で保持部４に対して本体部１は回動でき、温度表示面を上方に向けることができる。また、センサー吸盤１９が吸着できない材質の場合は、孔付つまみ１９ａの孔に錘を付けて沈めて置くことができ、位置を安定させて水温測定ができる。
【００２７】
図６は、同実施の形態１における後方からの外観図である。本体部１と温度検知部６とを接続する接続コード５は、使用しないときは、図６のように保持部４のコード巻用凹部４ａに巻き付けて収納でき、接続コード５は絡まることなく携帯できる。
（実施の形態２）
また、実施例として図示はしていないが、アラーム音を発する発音体１４と複数の操作ボタン３の一部のボタンを、本体部１とは別のケース１’に設け、前記別ケース１’と本体部１との間を無線で信号を受発信できる構成にすることも可能である。このような構成にすることにより、本体部１は水容器１７．１８に取付け、別ケース１’を身につけて使用できるので、アラーム音量を小さくでき、釣場の魚に警戒心を与えず、他の釣人に迷惑をかけることなく釣りを楽しむことができる。
【産業上の利用可能性】
【００２８】
この発明における水温計は、釣具としての実施例で本発明を説明したが、コンパクトで携帯でき、多様なものに取付可能であり、水温だけでなく気温も測定できるので、簡易な温度監視用機器としても利用できる。
【図面の簡単な説明】
【００２９】
【図１】本発明の実施の形態１における外観図
【図２】同実施の形態１における本体部１の側面断面図
【図３】同実施の形態１における本体部１の正面図
【図４】同実施の形態１における硬い水容器に対する取付状態を示す側面図
【図５】同実施の形態１における柔かい水容器に対する取付状態を示す側面図
【図６】同実施の形態１における後方からの外観図
【符号の説明】
【００３０】
１      本体部
１ａ    前ケース
１ｂ    後ケース
１ｃ    本体パッキン
１ｄ    コネクタキャップ
２      表示パネル部
３      操作ボタン
３ａ    電源ボタン
３ｂ    確認ボタン
３ｃ    △ボタン
３ｄ    ▽ボタン
３ｅ    ＳＥＴボタン
３ｆ    アラームボタン
４      保持部
４ａ    コード巻用凹部
５      接続コード
６      温度検知部
７      コードブッシュ
８      前面シート
９      電池ふた
９ａ    電池パッキン
１０    電池
１１    本体吸盤
１２    挟持クリップ
１３    回路基板
１４    発音体
１５    表示用ＬＣＤ
１６    制御ＩＣ
１７    樹脂製の硬い水容器
１８    布状の柔かい水容器
１９    センサー吸盤
１９ａ  孔付つまみ
２０    出力端子コネクタ
【図１】
2008212106.tif 000003
【図２】
2008212106.tif 000004
【図３】
2008212106.tif 000005
【図４】
2008212106.tif 000006
【図５】
2008212106.tif 000007
【図６】
2008212106.tif 000008